(57)【要約】【課題】コンクリートダムを補修補強することにより大規模地震発生時でも安全性を確保できるようにする。【解決手段】岩盤４０上に建設されたコンクリートダムの上流側にコンクリートの増打ち２０を行うことにより、クラック１０１および１０２の部分に引張応力が作用するのを防いで、クラックの発生を抑制する。また、コンクリートダムの下流側にコンクリートの増打ち２１を行うことにより、クラック１００の部分に引張応力が作用するのを防いで、クラックの発生を抑制することができる。【選択図】        図１
2007046348.tif 000002
【特許請求の範囲】
【請求項１】
コンクリートダムの上流側と下流側の少なくとも一方の側にコンクリートを増打ちすることによって、
大規模地震によりコンクリートダムの所定箇所に発生が予想されるクラックに対して補修補強を行うことを特徴とするコンクリートダムの補修補強構造。
【請求項２】
前記コンクリートの増打ちは、ダムの堤頂部から岩盤に到るまでの領域を覆い、ダムの堤体底面部と岩盤との接触面を拡大することを特徴とする請求項１に記載のコンクリートダムの補修補強構造。
【請求項３】
コンクリートダムの堤体底面部と岩盤とが接する境界部分にまたがると共に、貯水の水圧方向に対して直交方向にトンネルを形成し、当該トンネル内をコンクリートに置換えることによって、
大規模地震によりコンクリートダムの所定箇所に発生が予想されるクラックに対して補修補強を行うことを特徴とするコンクリートダムの補修補強構造。
【請求項４】
前記トンネルは、コンクリートダムの堤体底面部の上流側から一定間隔置きに複数個並べて形成することを特徴とする請求項３に記載のコンクリートダムの補修補強構造。
【請求項５】
コンクリートダムの所定領域に対して一定間隔毎に複数のアンカーを使い、上下方向から挟み込んで所定領域にプレストレスをかけることによって、
大規模地震によりコンクリートダムの所定箇所に発生が予想されるクラックに対して補修補強を行うことを特徴とするコンクリートダムの補修補強構造。
【請求項６】
前記所定領域は、コンクリートダム全体であって、ダムの堤頂部と下流側勾配面から一定間隔毎に直下の堤体内へ複数のアンカーを通し、岩盤内の定着部との間でプレストレスをかけることを特徴とする請求項５に記載のコンクリートダムの補修補強構造。
【請求項７】
前記所定領域は、下流側の堤頂部と、上流側の勾配変化部と、上流側の堤体底面部の少なくとも一つであって、それぞれの領域に対して上下方向に複数のアンカーを一定間隔毎に通し、複数のアンカーにプレストレスをかけることを特徴とする請求項５に記載のコンクリートダムの補修補強構造。
【請求項８】
前記上流側の勾配変化部と上流側の堤体底面部に対してアンカーを設置する際に、ダム内の既設監査廊を使って施工することを特徴とする請求項７に記載のコンクリートダムの補修補強構造。
【請求項９】
コンクリートダムの下流側の堤頂部、上流側の勾配変化部、および上流側の堤体底面部の少なくとも一箇所に対し、鋼材あるいは鋼板を用いてダム表面を補強することによって、
大規模地震によりコンクリートダムの所定箇所に発生が予想されるクラックに対して補修補強を行うことを特徴とするコンクリートダムの補修補強構造。
【請求項１０】
コンクリートダムの上流側の勾配変化部および上流側の堤体底面部の少なくとも一つの領域の堤体に対して上下方向に一定間隔毎に複数削孔し、当該孔内に鋼材を挿入しコンクリートを打設することによって、
大規模地震によりコンクリートダムの所定箇所に発生が予想されるクラックに対して補修補強を行うことを特徴とするコンクリートダムの補修補強構造。
【請求項１１】
前記上流側の勾配変化部と上流側の堤体底面部の少なくとも一つの領域の堤体に対して上下方向に一定間隔毎に複数削孔し、当該孔内に鋼材を挿入してコンクリートを打設する際に、ダム内の既設監査廊を使って施工することを特徴とする請求項１０に記載のコンクリートダムの補修補強構造。
【請求項１２】
コンクリートダムの上流側と下流側の少なくとも一方の側にコンクリートの増打ちを行う増打ち構造と、
コンクリートダムの堤体底面部と岩盤とが接する境界部分にまたがって、貯水の水圧方向に対して直交方向にトンネルを形成し、当該トンネル内をコンクリートに置換えるトンネル置換え構造と、
コンクリートダムの所定領域に対して一定間隔毎に複数のアンカーを使い、上下方向から挟み込んで所定領域にプレストレスをかけるプレストレス構造と、
コンクリートダムの下流側の堤頂部、上流側の勾配変化部、および上流側の堤体底面部の少なくとも一箇所に対し、鋼材あるいは鋼板を用いてダム表面を補強するダム表面補強構造と、
コンクリートダムの上流側の勾配変化部および上流側の堤体底面部の少なくとも一つの領域の堤体に対して上下方向に一定間隔毎に複数削孔し、当該孔内に鋼材を挿入してコンクリートを打設する補強杭構造と
の中で、２つ以上の構造を組み合わせて大規模地震によりコンクリートダムの所定箇所に発生が予想されるクラックに対して補修補強を行うことを特徴とするコンクリートダムの補修補強構造。
【発明の詳細な説明】
【技術分野】
【０００１】
本発明は、コンクリートダムの補修補強構造に関し、特に、大規模地震によってコンクリートダムに発生することが予想されるクラックに対して効果的に補修補強を行うコンクリートダムの補修補強構造に関するものである。
【背景技術】
【０００２】
現在、わが国のコンクリートダムは、震度法に基づいて耐震設計がなされている。今までに震度法の想定を上回る大規模地震の洗礼を受けたコンクリートダムはほとんどなく、地震による致命的なダム被害が報告されることもなかった。このため、大規模地震に対するダムの耐震補強については、ほとんど検討されてこなかったのが現状である。
【発明の開示】
【発明が解決しようとする課題】
【０００３】
最近、文部科学省の地震調査研究推進本部を初めとして、地震動予測に関する研究が精力的に進められており、ダムサイトにおいても震度法の想定を上回る大規模地震動の発生が予想されている。また、２０００年鳥取県西部地震や２００４年新潟県中越地震では、ダムサイトにおいて震度法の想定を大幅に上回る大規模地震動が観測された。このような状況下において、大規模地震に対するコンクリートダムの耐震安全性を確保することが求められており、必要に応じて効果的な対策を立てることが急務の課題となっている。
【０００４】
ところが、震度法は弾性設計法であり、想定以上の大規模地震動を受けた場合の破壊現象を評価することはできない。コンクリートダムは、無筋コンクリート構造物であることから、大規模地震時の破壊現象として、堤体にクラックが発生し、進展することが予想されている。有効な対策を立案するためには、堤体に発生するクラック進展挙動を精緻に予測する必要があるが、最近発明者らを初めとして、予測のための解析的研究が行われ始めた。これによれば、堤体底面やフィレット上部といった断面変化部でクラックが発生、進展することが明らかとなっている。
【０００５】
本発明は、上記に鑑みてなされたものであって、大規模地震が発生した際にコンクリートダムが受ける被害箇所や被害状況をある程度予測し、効果的な補修や補強を行うことによって、安全性を確保することができるコンクリートダムの補修補強構造を提供することを目的とする。
【課題を解決するための手段】
【０００６】
上述した課題を解決し、目的を達成するために、請求項１にかかる発明は、コンクリートダムの上流側と下流側の少なくとも一方の側にコンクリートを増打ちすることによって、大規模地震によりコンクリートダムの所定箇所に発生が予想されるクラックに対して補修補強を行うことを特徴とする。
【０００７】
また、請求項２にかかる発明は、請求項１に記載のコンクリートダムの補修補強構造において、前記コンクリートの増打ちは、ダムの堤頂部から岩盤に到るまでの領域を覆い、ダムの堤体底面部と岩盤との接触面を拡大することを特徴とする。
【０００８】
また、請求項３にかかる発明は、コンクリートダムの堤体底面部と岩盤とが接する境界部分にまたがると共に、貯水の水圧方向に対して直交方向にトンネルを形成し、当該トンネル内をコンクリートに置換えることによって、大規模地震によりコンクリートダムの所定箇所に発生が予想されるクラックに対して補修補強を行うことを特徴とする。
【０００９】
また、請求項４にかかる発明は、請求項３に記載のコンクリートダムの補修補強構造において、前記トンネルは、コンクリートダムの堤体底面部の上流側から一定間隔置きに複数個並べて形成することを特徴とする。
【００１０】
また、請求項５にかかる発明は、コンクリートダムの所定領域に対して一定間隔毎に複数のアンカーを使い、上下方向から挟み込んで所定領域にプレストレスをかけることによって、大規模地震によりコンクリートダムの所定箇所に発生が予想されるクラックに対して補修補強を行うことを特徴とする。
【００１１】
また、請求項６にかかる発明は、請求項５に記載のコンクリートダムの補修補強構造において、前記所定領域は、コンクリートダム全体であって、ダムの堤頂部と下流側勾配面から一定間隔毎に直下の堤体内へ複数のアンカーを通し、岩盤内の定着部との間でプレストレスをかけることを特徴とする。
【００１２】
また、請求項７にかかる発明は、請求項５に記載のコンクリートダムの補修補強構造において、前記所定領域は、下流側の堤頂部と、上流側の勾配変化部と、上流側の堤体底面部の少なくとも一つであって、それぞれの領域に対して上下方向に複数のアンカーを一定間隔毎に通し、複数のアンカーにプレストレスをかけることを特徴とする。
【００１３】
また、請求項８にかかる発明は、請求項７に記載のコンクリートダムの補修補強構造において、前記上流側の勾配変化部と上流側の堤体底面部に対してアンカーを設置する際に、ダム内の既設監査廊を使って施工することを特徴とする。
【００１４】
また、請求項９にかかる発明は、コンクリートダムの下流側の堤頂部、上流側の勾配変化部、および上流側の堤体底面部の少なくとも一箇所に対し、鋼材あるいは鋼板を用いてダム表面を補強することによって、大規模地震によりコンクリートダムの所定箇所に発生が予想されるクラックに対して補修補強を行うことを特徴とする。
【００１５】
また、請求項１０にかかる発明は、コンクリートダムの上流側の勾配変化部および上流側の堤体底面部の少なくとも一つの領域の堤体に対して上下方向に一定間隔毎に複数削孔し、当該孔内に鋼材を挿入しコンクリートを打設することによって、大規模地震によりコンクリートダムの所定箇所に発生が予想されるクラックに対して補修補強を行うことを特徴とする。
【００１６】
また、請求項１１にかかる発明は、請求項１０に記載のコンクリートダムの補修補強構造において、前記上流側の勾配変化部と上流側の堤体底面部の少なくとも一つの領域の堤体に対して上下方向に一定間隔毎に複数削孔し、当該孔内に鋼材を挿入してコンクリートを打設する際に、ダム内の既設監査廊を使って施工することを特徴とする。
【００１７】
また、請求項１２にかかる発明は、コンクリートダムの上流側と下流側の少なくとも一方の側にコンクリートの増打ちを行う増打ち構造と、コンクリートダムの堤体底面部と岩盤とが接する境界部分にまたがって、貯水の水圧方向に対して直交方向にトンネルを形成し、当該トンネル内をコンクリートに置換えるトンネル置換え構造と、コンクリートダムの所定領域に対して一定間隔毎に複数のアンカーを使い、上下方向から挟み込んで所定領域にプレストレスをかけるプレストレス構造と、コンクリートダムの下流側の堤頂部、上流側の勾配変化部、および上流側の堤体底面部の少なくとも一箇所に対し、鋼材あるいは鋼板を用いてダム表面を補強するダム表面補強構造と、コンクリートダムの上流側の勾配変化部および上流側の堤体底面部の少なくとも一つの領域の堤体に対して上下方向に一定間隔毎に複数削孔し、当該孔内に鋼材を挿入してコンクリートを打設する補強杭構造との中で、２つ以上の構造を組み合わせて大規模地震によりコンクリートダムの所定箇所に発生が予想されるクラックに対して補修補強を行うことを特徴とする。
【発明の効果】
【００１８】
請求項１にかかるコンクリートダムの補修補強構造は、コンクリートダムの上流側と下流側の少なくとも一方の側にコンクリートを増打ちする。このため、上流側のコンクリートの増打ちは、大規模地震発生時にコンクリートダムの上流側勾配変化部と上流側の堤体底面部にかかる引張応力を抑制し、クラックの発生を防止するよう補強すると共に、断面積の増加によって形状の安定性を増すことができるという効果を奏する。また、下流側のコンクリートの増打ちは、大規模地震発生時にコンクリートダムの下流側の堤頂部にかかる引張応力を抑制し、クラックの発生を防止すると共に、断面積の増加によって形状の安定性を増すことができるという効果を奏し、上流側勾配変化部と上流側の堤体底面部にかかる引張応力を抑制し、クラックの発生の防止にも効果を奏する。さらに、両方を増打ちする場合は、全ての箇所に対するクラックの発生を防止し、形状も一層安定するという効果を奏する。また、大規模地震発生時に引張応力がかかってクラックが発生した後に上記増打ちをする場合は、余震や同程度の地震がその後発生し、引張応力が加わったとしても、それ以上クラックが進行しないように抑制するための補修が行えるという効果を奏する。
【００１９】
また、請求項２にかかるコンクリートダムの補修補強構造は、コンクリートの増打ちでダムの堤頂部から岩盤に到るまでの領域を覆い、ダムの堤体底面部と岩盤との接触面を拡大するようにする。このため、形状の安定性がさらに増し、特に、コンクリートダムの上流側の堤体底面部にかかる引張応力を効果的に抑制できるという効果を奏する。
【００２０】
また、請求項３にかかるコンクリートダムの補修補強構造は、コンクリートダムの堤体底面部と岩盤とが接する境界部分にまたがるようにして、貯水の水圧方向に対して直交方向にトンネルを形成し、そのトンネル内をコンクリートに置換える。このため、上流側の堤体底面部と岩盤との間にクラックが発生し、進行し始めても、コンクリートで置換えたトンネル部分でクラックの進行が妨げられて、クラックの発生自体が抑制されると共に、既に発生したクラックがそれ以上進行するのを抑制するという効果を奏する。
【００２１】
また、請求項４にかかるコンクリートダムの補修補強構造は、コンクリートに置換える
トンネルをコンクリートダムの堤体底面部の上流側から一定間隔置きに複数個並べて形成する。このため、大規模地震発生時にコンクリートダムの上流側の堤体底面部と岩盤との間に引張応力が発生し、クラックが上流から下流に向かって進行する際に、堤体底面部の上流側から岩盤にまたがるように形成されたコンクリートのトンネルを一定間隔置きに複数個配置したので、クラックが発生しても初期段階からクラックの進行が妨げられ、効果的にクラックの発生が抑制されるという効果を奏する。また、既にクラックが発生している場所にコンクリートのトンネルを一定間隔置きに複数個配置し、クラックを分断するように設けることで、それ以上クラックが進行しないような補修が行えるという効果を奏する。
【００２２】
また、請求項５にかかるコンクリートダムの補修補強構造は、コンクリートダムの所定領域に対し一定間隔毎に複数のアンカーを使って上下方向から挟み込んでプレストレスをかけるようにする。このため、クラックの発生が予想される箇所に常にプレストレスがかかっているので、大規模地震によって所定領域に引張応力が発生しないか、または、発生したとしても引張強度以下に抑制して、クラックが発生しないようにする効果を奏する。
【００２３】
また、請求項６にかかるコンクリートダムの補修補強構造は、アンカーを使ってコンクリートダム全体を岩盤との間でプレストレスかけるようにする。このため、大規模地震によってコンクリートダムの堤体内に引張応力が加わって、クラックの発生が予想される場合でも、コンクリートダム全体にプレストレスがかかっていることから、クラックの発生を抑制する補強構造と、既に発生しているクラックがそれ以上進行しないように防止する補修構造とが得られるという効果を奏する。
【００２４】
また、請求項７にかかるコンクリートダムの補修補強構造は、下流側の堤頂部と、上流側の勾配変化部と、上流側の堤体底面部の少なくとも一つの領域に対して上下方向に複数のアンカーを一定間隔毎に通し、複数のアンカーにプレストレスをかけるようにする。このため、大規模地震によってクラックの発生が予想される領域を個別かつ選択的に補修補強することが可能となり、ダムの形状や引張応力の状態、あるいは、他の補修補強構造との組み合わせ等が自由に行えるという効果を奏する。
【００２５】
また、請求項８にかかるコンクリートダムの補修補強構造は、上流側の勾配変化部と上流側の堤体底面部の領域に対してアンカーを設置する際に、ダム内の既設監査廊を使って施工するようにする。このため、施工時にダムの貯水位を下げることなく、通年施工が可能になるという効果を奏する。
【００２６】
また、請求項９にかかるコンクリートダムの補修補強構造は、コンクリートダムの下流側の堤頂部、上流側の勾配変化部、および上流側の堤体底面部の少なくとも一箇所に対して鋼材あるいは鋼板を用いてダム表面を補強するようにする。このため、大規模地震によってクラックの発生が予想される領域を個別かつ選択的に補修補強することが可能となり、ダムの形状や引張応力の状態、あるいは、他の補修補強構造との組み合わせ等が自由に行えるという効果を奏する。
【００２７】
また、請求項１０にかかるコンクリートダムの補修補強構造は、コンクリートダムの上流側の勾配変化部および上流側の堤体底面部の少なくとも一つの領域の堤体に対して上下方向に一定間隔毎に複数削孔し、当該孔内に鋼材を挿入しコンクリートを打設するようにする。このため、大規模地震によってクラックの発生が予想される堤体の領域の上下方向に鋼材とコンクリートからなる杭を複数本形成することによって、コンクリートダムに加えられた引張応力に対向できるようになり、クラックの発生を抑制する補強構造と、既に発生しているクラックをそれ以上進行させない補修構造とが得られるという効果を奏する。
【００２８】
また、請求項１１にかかるコンクリートダムの補修補強構造は、上流側の勾配変化部と上流側の堤体底面部の少なくとも一つの領域の堤体に対して上下方向に複数削孔し、当該孔内に鋼材を挿入しコンクリートを打設する際に、ダム内の既設監査廊を使って施工するようにする。このため、施工時にダムの貯水位を下げることなく、通年施工が可能になるという効果を奏する。
【００２９】
また、請求項１２にかかるコンクリートダムの補修補強構造は、コンクリートの増打ち構造と、トンネル置換え構造と、プレストレス構造と、ダム表面補強構造と、補強杭構造との中で、２つ以上の構造を組み合わせるようにする。このため、コンクリートダムの大きさや種類、地形、地質、施工コスト、施工の容易性、工期、あるいは、構造強度などに基づいて最も適した組み合わせを適宜選択することが可能となり、大規模地震によりコンクリートダムの所定箇所に発生が予想されるクラックに対して確実な補修補強が行えるという効果を奏する。
【発明を実施するための最良の形態】
【００３０】
以下に、本発明にかかるコンクリートダムの補修補強構造の実施の形態を図面に基づいて詳細に説明する。なお、この実施の形態によりこの発明が限定されるものではない。
【００３１】
大規模地震（レベル２地震）に対するコンクリートダムの耐震安定性を評価するにあたって、従来からの震度法が想定する地震規模（レベル１地震）で行っていた評価は、地震規模の違いからそのまま用いることができなかった。そこで、本願発明者らは、大規模地震発生時にコンクリートダムの堤体に発生する引張応力によるクラックの発生と、その進行や挙動について精緻に追跡するため、コンクリートの引張軟化特性を考慮した動的非線形解析（以下、クラック進展解析ともいう）を独自に開発し、コンクリートダムの大規模地震発生時における挙動を把握することから始めた。
【００３２】
図９−１〜図９−４は、クラック進展解析により重力式コンクリートダムの地震時におけるクラック進展の推移を示した断面図である。このクラック進展解析の解析モデルに使用したダムは、ここでは堤高１５０ｍ、堤体底面長１３６．８ｍ、フィレット高４６ｍの国内最大級のダムであり、内陸直下型地震が作用した場合を想定したものである。
【００３３】
クラック進展解析を行う場合は、コンクリートの非線形材料特性を評価する必要があり、例えば、くさび挿入型割裂試験を行って、コンクリートの引張軟化構成則を求める。入力地震動は、基礎岩盤表面で大崎スペクトルをターゲットスペクトルとしてマグニチュード８．０、震源距離２５ｋｍの地震を想定し、最大加速度が５７４ galとなる振動を４０秒間加えて行った。
【００３４】
このようにして得られたクラック進展解析の解析結果に基づいて、重力式コンクリートダムの断面図に見られるクラック進展の推移を時間と共に追って行く。まず、図９−１に示すように、大規模地震により引張応力がダムに加わると、最初は岩盤と接する堤体底面部の上流側からクラック１０２が進行する。この段階ではまだ堤頂部１０に引張応力が加わっていない。
【００３５】
続く図９−２では、堤体底面部の上流側からのクラック１０２が一層大きく進行すると共に、フィレット１１の上部から下流側に向かって新たなクラック１０１が進行を開始する。
【００３６】
そして、図９−３では、堤体底面部の上流側からのクラック１０２の進行は止まるが、フィレット１１上部のクラック１０１が大きく進行する。さらに、図９−４では、フィレット１１上部のクラック１０１の進行度合いは鈍化するが、わずかに進行すると共に、堤頂部１０の下流側にも引張応力が加わり、新たなクラック１００が進行する。
【００３７】
従って、図９−１〜図９−４に見られるように、大規模地震に対するダムのクラック進展解析結果は、ダムの上流側の勾配変化部（フィレット上部）と、上流側の堤体底面部と、下流側の堤頂部の３箇所にクラックの発生が集中し、進行することがわかった。
【００３８】
本願発明者らは、これらの解析結果を踏まえた上で、以下の実施の形態においてコンクリートダムの補修補強構造を提案している。
【００３９】
（実施の形態１）
図１は、実施の形態１にかかるコンクリートダムの補修補強構造を示す断面図である。図１に示すコンクリートダムは、岩盤４０の上に重力式コンクリートダムが建設され、堤頂部１０とフィレット１１を備えており、ダムの堤体内にはメンテナンス用の監査廊１２が設けられている。堤体内に描かれているクラック１００〜１０２は、大規模地震によってクラックの発生が予想される箇所、あるいはクラックが既に発生している２通りの状態を示すものである。
【００４０】
まず、大規模地震が発生する前にダムの上流側に施工されるコンクリートの増打ち２０は、クラック１０１，１０２の部分に引張応力が作用するのを防いで、クラックの発生を抑制すると共に、上流側の堤体底面部の面積を広げる構造として、形状による安定性を増加させたものである。上流側にコンクリートの増打ち２０をする場合は、貯水３０を空虚にしてダム内の堆砂を除去した後、コンクリートを打設する。
【００４１】
また、ダムの下流側に施工されるコンクリートの増打ち２１は、大規模地震発生時にコンクリートダムの下流側の堤頂部１０にかかる引張応力を抑制し、クラックの発生を防止すると共に、断面積を増加させて形状の安定性を増加させるものである。下流側にコンクリートの増打ち２１をする場合は、転流により貯水位を低下させた後、堤体下流面にコンクリートを打設する。
【００４２】
このように、大規模地震発生前のコンクリートの増打ちは、大規模地震の引張応力による堤体のクラック発生が抑制可能な補強構造を提供することができる。
【００４３】
さらに、地震発生後に図１に示すようなクラック１００〜１０２が発生した場合、上記と同様にコンクリートの増打ち２０，２１を行うことによって、それ以上クラックが進行しないようにし、堤体のクラック貫通破壊を防止する補修構造を提供することができる。
【００４４】
なお、実施の形態１では、ダムの上流側と下流側の両方にコンクリートの増打ちを行った例で説明したが、これに限定されず、状況に応じて何れか一方の増打ちを行っても良い。
【００４５】
（実施の形態２）
図２は、実施の形態２にかかるコンクリートダムの補修補強構造を示す断面図である。図２に示すコンクリートダムは、岩盤４０の上に重力式コンクリートダムが建設され、堤頂部１０とフィレット１１を備えており、ダムの堤体内にはメンテナンス用の監査廊１２が設けられている。堤体内に描かれているクラック１００〜１０２は、大規模地震によってクラックの発生が予想される箇所、あるいはクラックが既に発生している２通りの状態を示すものである。
【００４６】
実施の形態２の特徴的な構造は、ダムの堤体底面と岩盤４０とが接する境界面にまたがるように複数のトンネル５０，５１が上流側から一定間隔を置いて形成され、このトンネル５０，５１内にコンクリートを打設して置換えるものである（トンネル置換え工法）。これに似た工法としてダウエリングが知られているが、ダウエリングはダムを設置する岩盤内部に破砕層などが分布している場合、剪断強度を改良するため岩盤内部にトンネルを掘ってコンクリートで置き換えるもので、剪断に対する抵抗力の強化を図る技術であって、本実施の形態２はその応用であり、剪断抵抗力と併せて引張抵抗力の強化を図る技術である。
【００４７】
このように、ダムの堤体底面と岩盤４０とが接する境界面にまたがるように形成された複数のトンネル５０，５１をコンクリートに置き換えることで、堤体底面部と岩盤４０との間で上流側からクラック１０２が発生しても、トンネル５０，５１によってクラックの発生、および進行を妨げることができる。このため、大規模地震の引張応力により堤体底面部におけるクラックの発生が抑制可能な補強構造を提供することができる。
【００４８】
また、地震発生後に図２に示すようなクラック１０２が発生した場合、上記と同様にダムの堤体底面と岩盤４０とが接する境界面にまたがるように複数のトンネル５０，５１を形成し、コンクリートで置き換えることによって、それ以上クラック１０２が進行して堤体底面部のクラック貫通破壊が起こるのを防止可能な補修構造を提供することができる。
【００４９】
（実施の形態３）
図３−１は、実施の形態３にかかるコンクリートダムの補修補強構造を示す断面図であり、図３−２は、実施の形態３にかかるコンクリートダムの別の補修補強構造を示す断面図である。図３−１および図３−２に示すコンクリートダムは、岩盤４０の上に重力式コンクリートダムが建設され、堤頂部１０とフィレット１１を備えており、ダムの堤体内にはメンテナンス用の監査廊１２が設けられている。堤体内に描かれているクラック１００〜１０２は、大規模地震によってクラックの発生が予想される箇所、あるいはクラックが既に発生している２通りの状態を示すものである。
【００５０】
実施の形態３の特徴的な構造は、アンカーを使ってクラックの発生が予想される箇所、あるいはクラックが既に発生している箇所にプレストレスをかけて引張応力を低減させることにより、クラックの発生を抑制し、既にクラックが発生している場合はクラックの進行を防止するものである。
【００５１】
まず、図３−１は、先端に定着部を有し、ワイヤーや鋼棒等からなるアンカーを使ってプレストレスをかけるプレストレス構造６０をコンクリートダム全体に適用した場合である。すなわち、ダムの堤頂部１０と下流側の勾配面とを使い、一定間隔毎に垂直方向に堤体内へボーリングマシーンにて堤体および岩盤４０を削孔して、永久アンカーを設置し、コンクリートダム全体にプレストレスをかけるものである。
【００５２】
このため、図３−１のプレストレス構造６０は、大規模地震によってコンクリートダムの堤体内に引張応力が加わったとしても、クラック１００〜１０２の発生が予想される領域に対して常にプレストレスがかかっているので、引張応力が低減され、クラックの発生を抑制することができる補強構造が得られる。
【００５３】
また、コンクリートダムの堤体内に既にクラック１００〜１０２が発生している場合に、図３−１のようなプレストレス構造６０を形成することによって、クラック１００〜１０２がそれ以上進行しないようにする補修構造を得ることができる。
【００５４】
次に、図３−２は、アンカーを使ってプレストレスをかけるプレストレス構造６１，６２，６３をクラック１００〜１０２の発生が予想される領域、あるいは、既にクラック１００〜１０２が発生している領域に対して、個別に形成する場合である。すなわち、下流側堤頂部のクラック１００、上流側勾配変化部のクラック１０１、および上流側堤体底面部のクラック１０２の少なくとも一つの領域に対して上下方向に複数のアンカーを通すようにボーリングマシーンにて堤体を削孔し、アンカーを設置して、プレストレスをかけるものである。
【００５５】
このため、図３−２のプレストレス構造６１，６２，６３は、大規模地震によってコンクリートダムの堤体内に引張応力が加わったとしても、クラック１００〜１０２の発生が予想される領域に対して、個別かつ選択的にプレストレスをかけることができるので、引張応力が低減され、クラックの発生が抑制される補強構造が得られる。また、図３−２の構造は、アンカーの距離が短いため、プレストレスの効果が高くなって、十分な引張応力の発生抑制効果を期待することができる。さらに、個別かつ選択的にプレストレスがかけられるので、状況に合わせて他のコンクリートダムの補修補強構造と組み合わせて用いることもできる。
【００５６】
また、図３−２におけるプレストレス構造６２および６３を形成する場合は、ダムの堤体内の既設監査廊１２を使ってボーリングを行い、施工することが可能となる。これによって施工時にダムの貯水位を下げる必要がなくなり、通年施工が可能となる。
【００５７】
（実施の形態４）
図４は、実施の形態４にかかるコンクリートダムの補修補強構造を示す断面図である。図４に示すコンクリートダムは、岩盤４０の上に重力式コンクリートダムが建設され、堤頂部１０とフィレット１１を備えており、ダムの堤体内にはメンテナンス用の監査廊１２が設けられている。堤体内に描かれているクラック１００〜１０２は、大規模地震によってクラックの発生が予想される箇所、あるいはクラックが既に発生している２通りの状態を示すものである。
【００５８】
実施の形態４の特徴的な構造は、コンクリートダムの下流側の堤頂部、上流側の勾配変化部、および上流側の堤体底面部の少なくとも一箇所に対して鋼材あるいは鋼板７０，７１，７２を用いてダム表面を補強し、クラックの発生の抑制や既に発生しているクラックの進行を個別かつ選択的に防止できるようにするものである。
【００５９】
図４に示すように、鋼材あるいは鋼板７０，７１，７２をダム表面に設置、固定し、さらにその上をコンクリートで覆うようにする（図示せず）。下流側堤頂部に設置する鋼材あるいは鋼板７０の場合は、貯水位に関係なく施工が可能であるが、鋼材あるいは鋼板７１，７２を設置する場合は、貯水位を下げてから施工する必要がある。
【００６０】
このため、図４の鋼材あるいは鋼板７０，７１，７２を用いた構造は、大規模地震によってコンクリートダムの堤体内に引張応力が加わったとしても、クラック１００〜１０２の発生が予想される領域を確実に補強するので、引張応力が低減され、クラックの発生が抑制される補強構造を得ることができる。
【００６１】
また、コンクリートダムの堤体内に既にクラック１００〜１０２が発生している場合は、図４に示すような鋼材あるいは鋼板７０，７１，７２を後から設置することにより、クラック１００〜１０２がそれ以上進行しないような補修構造を得ることができる。
【００６２】
なお、この鋼材あるいは鋼板７０，７１，７２を用いた構造は、クラック１００〜１０２の発生が予想される領域、あるいは、既にクラック１００〜１０２が発生している領域に対して、個別に形成できるため、状況に合わせて他のコンクリートダムの補修補強構造と組み合わせて用いることができる。
【００６３】
（実施の形態５）
図５は、実施の形態５にかかるコンクリートダムの補修補強構造を示す断面図である。図５に示すコンクリートダムは、岩盤４０の上に重力式コンクリートダムが建設され、堤頂部１０とフィレット１１を備えており、ダムの堤体内にはメンテナンス用の監査廊１２が設けられている。堤体内に描かれているクラック１００〜１０２は、大規模地震によってクラックの発生が予想される箇所、あるいはクラックが既に発生している２通りの状態を示すものである。
【００６４】
実施の形態５の特徴的な構造は、コンクリートダムの上流側の勾配変化部および上流側の堤体底面部の少なくとも一つの領域の堤体に対して上下方向に一定間隔毎に複数削孔し、各孔内に鋼材を挿入すると共に、その周りにコンクリートを打設することによって、強固な補強杭８０，８１を堤体内に形成するようにしたものである。
【００６５】
図５に示すように、補強杭８０，８１を堤体内に設置する場合は、ここでは、監査廊１２から堤体および岩盤４０に対してボーリングマシーンにて削孔し、Ｈ鋼などの鋼材を挿入後、その周囲の空間にコンクリートを打設することによって、クラックの発生が予想されるコンクリートダムの上流側の勾配変化部および上流側の堤体底面部を補強している。
【００６６】
このため、大規模地震によってクラックの発生が予想される堤体の領域に補強杭８０，８１がダムの川幅方向に一定所定間隔毎に複数本形成することにより構造体が補強され、大規模地震発生時にコンクリートダムに加えられる引張応力に対向できるようになり、クラックの発生を抑制する補強構造と、既に発生しているクラックをそれ以上進行させない補修構造とを得ることができる。
【００６７】
また、実施の形態５では、補強杭８０，８１を施工するにあたって、ダム内に既設された監査廊１２を使って施工するため、施工時にダムの貯水位を下げる必要がなく、通年施工が可能になる。
【００６８】
なお、実施の形態５では、補強杭８０，８１の両方を形成した場合の例で説明したが、何れか一方だけを選択的に施工したり、他のコンクリートダムの補修補強構造と組み合わせて施工することも可能である。
【００６９】
（実施の形態６）
実施の形態６では、上記実施の形態１〜５で説明した個別のコンクリートダムの補修補強構造に対して、これらを組み合わせて施工する場合の組み合わせ例について説明する。
【００７０】
(コンクリートの増打ちとトンネル置換え工法との組み合わせ)
図６は、実施の形態６にかかるコンクリートの増打ちとトンネル置換え工法とを組み合わせたコンクリートダムの補修補強構造を示す断面図である。図６の例では、クラック１０２に対して、トンネル５０，５１を形成し、コンクリートに置換えるトンネル置換え工法によって補修補強を行っている。また、クラック１０１および１０２に対しては、ダム上流側のコンクリートの増打ち２０によって補修補強を行っている。さらに、クラック１００に対しては、ダム下流側のコンクリートの増打ち２１によって補修補強を行っている。
【００７１】
このように、上流側と下流側のコンクリートの増打ち２０，２１とトンネル置換え工法とを組み合わせることによって、コンクリートダムの補修補強構造がより強固になると共に、コンクリートダムの大きさや種類、地形、地質等によって、増打ちの量を調整したり、トンネルの数や大きさ、あるいは、トンネル同士の間隔を適宜調整することによって、コスト、施工の容易性、工期、構造強度などを最適化することが可能となる。
【００７２】
特に、図６の組み合わせ例では、堤体底面と岩盤４０との間に発生するクラック１０２に対して、上流側のコンクリートの増打ち２０とトンネル置換え工法とによって二重に補強されるため、この部分を確実に補強すべきコンクリートダムに対しては有効な補修補強構造となる。
【００７３】
（コンクリートの増打ちとプレストレス構造との組み合わせ）
図７は、実施の形態６にかかるコンクリートの増打ちとプレストレス構造とを組み合わせたコンクリートダムの補修補強構造を示す断面図である。図７の例では、クラック１００に対して、複数のアンカーを設置してプレストレスをかけるプレストレス構造６１によって補修補強を行っている。また、クラック１０１および１０２に対しては、ダム上流側のコンクリートの増打ち２０によって補修補強を行っている。
【００７４】
このように、上流側のコンクリートの増打ち２０とプレストレス構造６１とを組み合わせることによって、コンクリートダムの大きさや種類、地形、地質等に基づいて、コスト、施工の容易性、工期、構造強度などを最適化することが可能となる。
【００７５】
特に、図７の組み合わせ例では、下流側の堤頂部に発生するクラック１００に対して、
プレストレス構造６１を効果的に用いているため、上記実施の形態１（図１参照）でコンクリートの増打ち２１を行っていた場合と比較すると、施工コストを大幅に低減できるとともに、工期も大幅に短縮することができる。
【００７６】
（プレストレス構造とトンネル置換え工法との組み合わせ）
図８は、実施の形態６にかかるプレストレス構造とトンネル置換え工法とを組み合わせたコンクリートダムの補修補強構造を示す断面図である。図８の例では、クラック１００，１０１に対して、複数のアンカーを設置してプレストレスをかけるプレストレス構造６１および６２により補修補強を行っている。また、クラック１０２に対しては、トンネル５０，５１を形成し、コンクリートに置換えるトンネル置換え工法によって補修補強を行っている。
【００７７】
このように、プレストレス構造とトンネル置換え工法とを組み合わせることによって、
コンクリートダムの大きさや種類、地形、地質等に基づいて、コスト、施工の容易性、工期、構造強度などを最適化することが可能となる。
【００７８】
特に、図８の組み合わせ例では、下流側の堤頂部に発生するクラック１００に対して、
プレストレス構造６１を用い、上流側の勾配変化部に発生するクラック１０１に対して、監査廊１２から施工するプレストレス構造６２を用い、上流側の堤体底面部に発生するクラック１０２に対して、トンネル５０，５１を形成するトンネル置換え工法を用いたため、施工時にダムの貯水位を下げる必要がなく、通年施工が可能になる。
【００７９】
なお、上記実施の形態６では、コンクリートの増打ちとプレストレス構造とトンネル置換え工法の３者の組み合わせ例について説明したが、必ずしもこの組み合わせ例に限定されるものではなく、上記実施の形態４の鋼材あるいは鋼板７０，７１，７２などを使ってクラック１００，１０１，１０２に相当するダム表面を補強するダム表面補強構造と、上記実施の形態５の補強杭８０，８１を使ってクラック１０１，１０２の領域を補強する補強杭構造とを加えた上記５種類の補修補強構造の中から２種類以上を組み合わせ、コンクリートダムの大きさや種類、地形、地質、施工コスト、施工の容易性、工期、あるいは、構造強度などに基づいて最も適した組み合わせを適宜選択可能としても良い。
【産業上の利用可能性】
【００８０】
以上のように、本発明にかかるコンクリートダムの補修補強構造は、既存のコンクリートダムの耐震安全性評価が得られるように補修補強を行う場合に有用であり、特に、大規模地震に対するコンクリートダムの補修補強構造に適している。
【図面の簡単な説明】
【００８１】
【図１】実施の形態１にかかるコンクリートダムの補修補強構造を示す断面図である。
【図２】実施の形態２にかかるコンクリートダムの補修補強構造を示す断面図である。
【図３−１】実施の形態３にかかるコンクリートダムの補修補強構造を示す断面図である。
【図３−２】実施の形態３にかかるコンクリートダムの別の補修補強構造を示す断面図である。
【図４】実施の形態４にかかるコンクリートダムの補修補強構造を示す断面図である。
【図５】実施の形態５にかかるコンクリートダムの補修補強構造を示す断面図である。
【図６】実施の形態６にかかるコンクリートの増打ちとトンネル置換え工法とを組み合わせたコンクリートダムの補修補強構造を示す断面図である。
【図７】実施の形態６にかかるコンクリートの増打ちとプレストレス構造とを組み合わせたコンクリートダムの補修補強構造を示す断面図である。
【図８】実施の形態６にかかるプレストレス構造とトンネル置換え工法とを組み合わせたコンクリートダムの補修補強構造を示す断面図である。
【図９−１】クラック進展解析により重力式コンクリートダムの地震時におけるクラック進展の推移を示した断面図である。
【図９−２】クラック進展解析により重力式コンクリートダムの地震時におけるクラック進展の推移を示した断面図である。
【図９−３】クラック進展解析により重力式コンクリートダムの地震時におけるクラック進展の推移を示した断面図である。
【図９−４】クラック進展解析により重力式コンクリートダムの地震時におけるクラック進展の推移を示した断面図である。
【符号の説明】
【００８２】
１０  堤頂部
１１  フィレット
１２  監査廊
２０  コンクリートの増打ち
２１  コンクリートの増打ち
３０  貯水
４０  地盤
５０  トンネル
５１  トンネル
６０  プレストレス構造
６１  プレストレス構造
６２  プレストレス構造
６３  プレストレス構造
７０  鋼材あるいは鋼板
７１  鋼材あるいは鋼板
７２  鋼材あるいは鋼板
８０  補強杭
８１  補強杭
１００  クラック
１０１  クラック
１０２  クラック
【図１】
2007046348.tif 000003
【図２】
2007046348.tif 000004
【図３−１】
2007046348.tif 000005
【図３−２】
2007046348.tif 000006
【図４】
2007046348.tif 000007
【図５】
2007046348.tif 000008
【図６】
2007046348.tif 000009
【図７】
2007046348.tif 000010
【図８】
2007046348.tif 000011
【図９−１】
2007046348.tif 000012
【図９−２】
2007046348.tif 000013
【図９−３】
2007046348.tif 000014
【図９−４】
2007046348.tif 000015